(57)【特許請求の範囲】
【請求項１】
熱画像カメラによって設置空間内の温度分布を取得する温度分布取得部と、
人との位置関係で警報を出力するための注目エリアが満たすべき温度条件を格納した温度条件格納部と、
取得された温度分布と温度条件から注目エリアを設定する注目エリア設定部と、
取得された温度分布から人の位置を取得する人位置取得部と、
警報の出力可否を判断するための注目エリアと人との位置関係を含む警報出力条件を格納する警報出力条件格納部と、
設定された注目エリアと人の位置と警報出力条件に基づいて警報を出力するか判断する警報出力判断部と、
設置空間内にて人が保持している識別情報とその人の熱パターンとを紐付けて取得する紐付部と、
人位置取得部にて連続的に位置が取得される人の熱パターンから立止り又は移動する人の同一性を認識する同一性認識部と、
警報を出力し又は出力しないなどのために識別情報が満たすべき条件である識別条件を格納する識別条件格納部と、
を有し、
前記警報出力判断部は、人位置取得部によりその時点での位置が取得される人の熱パターンに対して紐付けられた識別情報又は人位置取得部によりその時点での位置が取得される人との同一性が認識される人の熱パターンに対して紐付けられた識別情報と識別条件にも基づいて警報を出力するか判断する人別警報出力判断手段を有する警報システム。
【請求項２】
温度条件格納部は、温度条件として所定の温度以下であること又は所定の温度以上であることを格納した第一格納手段を有する請求項１に記載の警報システム。
【請求項３】
温度条件格納部は、温度条件として温度の時間当たりの変化値が所定の値以上であること又は所定の値以下であることを格納した第二格納手段を有する請求項１又は２に記載の警報システム。
【請求項４】
温度条件格納部は、温度条件として温度の変化値が所定の値以上であること又は所定の値以下であることを格納した第三格納手段を有する請求項１又は２に記載の警報システム。
【請求項５】
温度条件格納部は、温度条件として所定の条件を満たす温度領域の大きさが所定の値以上であること又は所定の値以下であることを格納した第四格納手段を有する請求項１から４のいずれか一に記載の警報システム。
【発明の詳細な説明】
【技術分野】
【０００１】
本発明は、警報システムに関する。
【背景技術】
【０００２】
従来から、防災・防犯対策のために赤外線カメラなどを利用して所定の領域を監視し、異常を検知した場合に警報出力をすることが可能なシステムが知られていた。
【０００３】
例えば、特許文献１においては、熱画像を用いて複数の監視領域を監視し、監視領域ごとに火災発生に関する警報を発することが可能な火災監視システムが開示されている。また、特許文献２においては、熱画像から得られる貯蔵容器の表面温度データを用いて異常温度を示す領域の画像データを作成し、当該データを表示装置に対して出力可能な異常監視装置が開示されている。
【先行技術文献】
【特許文献】
【０００４】
【特許文献１】特許第３３２６４８２号
【特許文献２】特開２００３−２０７５９６
【発明の概要】
【発明が解決しようとする課題】
【０００５】
しかしながら、上記従来技術においては火災などによって発生する高温領域などの存在を検知して警報出力することは可能であったが、特定の温度条件を満たす領域をダイナミックに設定し、人が近づいたことを検知して警報出力することはできなかった。
【課題を解決するための手段】
【０００６】
以上の課題を解決するために、熱画像カメラによって設置空間内の温度分布を取得する温度分布取得部と、人との位置関係で警報を出力するための注目エリアが満たすべき温度条件を格納した温度条件格納部と、取得された温度分布と温度条件から注目エリアを設定する注目エリア設定部と、取得された温度分布から人の位置を取得する人位置取得部と、警報の出力可否を判断するための注目エリアと人との位置関係を含む警報出力条件を格納する警報出力条件格納部と、設定された注目エリアと人の位置と警報出力条件に基づいて警報を出力するか判断する警報出力判断部と、からなる警報システムを提案する。
【発明の効果】
【０００７】
上記の発明により、特定の温度条件を満たす領域をダイナミックに設定し、人が近づいたことを検知して警報出力することが可能になる。
【図面の簡単な説明】
【０００８】
【図１】実施例１の警報システムの概要を示す図
【図２】実施例１の警報システムの構成を示す図
【図３】実施例１の警報システムのハードウェア構成の一例を示す図
【図４】実施例１の警報方法の処理の流れの一例を示す図
【図５】実施例２の警報システムの構成を示す図
【図６】実施例２の警報システムの注目エリア設定部の構成例を示す図
【図７】実施例３の警報システムの構成を示す図
【図８】実施例４の警報システムの構成を示す図
【図９】実施例５の警報システムの構成を示す図
【図１０】実施例６の警報システムの概要を示す図
【図１１】実施例６の警報システムの構成を示す図
【図１２】実施例６の警報方法の処理の流れの一例を示す図
【発明を実施するための形態】
【０００９】
以下に、本発明の実施例を説明する。実施例と請求項の相互の関係は、以下のとおりである。実施例１は主に請求項１に対応し、実施例２は主に請求項２に対応し、実施例３は主に請求項３に対応し、実施例４は主に請求項４に対応し、実施例５は主に請求項５に対応し、実施例６は主に請求項６に対応する。なお、本発明はこれらの実施例に何ら限定されるものではなく、その要旨を逸脱しない範囲内において、様々な態様で実施しうる。
【実施例１】
【００１０】
<概要>
図１は、本実施例の警報システムの概要を示す図である。この図にあるように、本実施例の「警報システム」０１００は、「熱画像カメラ」０１０１によって取得される設置空間内の温度分布と所定の温度条件に基づいて警報を出力するための「注目エリア」０１０２を設定し、人が注目エリアに対して「所定の範囲」０１０３まで近づいた場合にその人に対して警報を出力する構成を有する。当該構成により、特定の温度条件を満たす領域をダイナミックに設定して、人が近づいたことを検知して警報出力することが可能になる。
【００１１】
<構成>
図２は、本実施例の警報システムの構成を示す図である。この図にあるように、本実施例の「警報システム」０２００は、「温度分布取得部」０２０１と、「温度条件格納部」０２０２と、「注目エリア設定部」０２０３と、「人位置取得部」０２０４と、「警報出力条件格納部」０２０５と、「警報出力判断部」０２０６と、から構成される。以下、各構成について説明する。
【００１２】
「温度分布取得部」は、熱画像カメラによって設置空間内の温度分布を取得する機能を有する。温度分布取得部の具体例としては、熱画像カメラとインターフェイス機器（Ａ／Ｄ変換機器、通信機器等も含む）、処理演算装置（ＣＰＵ、ＭＰＵ等）、記憶装置（ＲＡＭ等）からなる構成が考えられる。
【００１３】
ここで、熱画像カメラとしては、放射温度計の機能を備えたカメラが考えられる。例えば、マイクロボロメータ、サーモパイル（センサ素子）などを用いたカメラや、焦電形温度センサや、光起電力形温度センサ、光電導形温度センサなどを用いたカメラ等が考えられる。なお、用途に応じてこれらのセンサの前面に波長選択フィルタを設けることが好ましい。例えば、赤外線領域透過フィルタを設けて可視光を遮断し、太陽光や大気中水分の影響を低減させることが考えられる。
【００１４】
熱画像カメラの温度測定範囲や、温度分解能、検出素子の画素数、測定視野角は、設計により種々考えられる。例えば、サーモパイル素子を用いて、−１０℃〜３００℃の温度測定範囲、０．５℃の温度分解能、略２０００画素数、６０°の測定視野角を用いることが可能である。
【００１５】
また、熱画像カメラは単数である必要はなく、空間内に複数設ける構成も可能である。当該構成とすることにより、一の視点から見た熱画像では重なって見える人の温度パターンなどを分離して取得しやすくなる。
【００１６】
「温度条件格納部」は、人との位置関係で警報を出力するための注目エリアが満たすべき温度条件を格納する機能を有する。温度条件格納部の具体例としては、データを長期的に蓄積可能な記憶装置（ＲＯＭやハードディスク等）が主として考えられる。
【００１７】
ここで、人と注目エリアの位置関係としては、人と注目エリアとの間隔や方向関係が主として考えられる。ここで、人の注目エリアに対する間隔や方向は、例えば、人に対する注目エリアの最短地点を基準とすることも可能であるし、注目エリアの中心を基準としたり、注目エリアにおいて特定の条件を満たすポイント（最高温度や最低温度のポイント）を基準としたりすることが可能である。なお、間隔は平面的な距離に限られず、三次元的な距離も含まれるものである。
【００１８】
また、警報を出力する方法としては、音声機器からの音声出力や、ディスプレイ機器からの表示出力（光点滅・点灯表示等も含む）、プリンタ機器からの印刷出力、通信機器からの情報送信（携帯電話に対するメール送信等も含む）、バイブレータ機器からの振動出力など種々の方法が考えられる。これらの警報を出力するために、対応する機器に対して動作を制御するための制御命令を送信することが考えられる。
【００１９】
また、注目エリアが満たすべき温度条件としては、例えば、「所定の温度以下であること又は所定の温度以上であること」（実施例２にて説明）、「温度の時間当たりの変化値が所定の値以上であること又は所定の値以下であること」（実施例３にて説明）、「温度の変化値が所定の値以上であること又は所定の値以下であること」（実施例４にて説明）、「所定の条件を満たす温度領域の大きさが所定の値以上であること又は所定の値以下であること」（実施例５にて説明）などが考えられる。ここで、上記の条件において、注目エリアの温度や温度の変化値については、その最大値や最小値を用いてもよいし、平均値を用いてもよく、種々の態様で設定することが可能である。
【００２０】
その他の温度条件の例としては、例えば、「温度分布の一様性が所定レベル以上であること又は所定レベル以下であること」、「温度分布の等方性が所定レベル以上であること又は所定レベル以下であること」、「特定方向（又は任意方向）の温度勾配が一定値以上であること又は一定値以下であること」なども考えられる。
【００２１】
なお、温度条件は一つである必要はなく、複数の温度条件を同時に又は選択的に利用する構成も可能である。例えば、季節や日付、曜日、時間帯、設置空間の雰囲気温度（熱画像の温度分布から取得可能）、外気の温度の情報に応じて自動的に温度条件を変更する構成が考えられる。これらの付帯的な情報は、所定の情報取得プログラムに基づいて内部記憶装置や、ネットワークを介して接続される他の記憶装置から通信機器を利用して取得することも可能である。
【００２２】
「注目エリア設定部」は、取得された温度分布と温度条件から注目エリアを設定する機能を有する。注目エリア設定部の具体例としては、所定の処理演算を実行可能な処理演算装置と記憶装置と注目エリアを設定する処理内容が記載されたプログラム等からなる構成が考えられる。
【００２３】
注目エリアを設定する方法としては、例えば温度分布から温度条件を満たす領域を特定する処理を行うことが考えられる。具体的には、温度条件を満たす熱画像領域に属する各画素の座標情報を取得し、注目エリアを構成するデータとして記憶領域に保持することが考えられる。
【００２４】
なお、温度分布や温度条件によっては、注目エリアが複数設定される場合もあれば、一の注目エリアも設定されない場合も考えられる。また、温度条件が複数ある場合は、各温度条件を満たす注目領域を個別に設定することも可能である。
【００２５】
「人位置取得部」は、取得された温度分布から人の位置を取得する機能を有する。人位置取得部の具体例としては、所定の処理演算を実行可能な処理演算装置と記憶装置と温度分布から人の位置を取得する処理内容が記載された処理演算プログラム等からなる構成が考えられる。
【００２６】
ここで、温度分布から人の位置を取得する方法としては、熱画像から人の体温に近い温度（例えば、３０℃〜４０℃）となっている領域を特定する処理を行うことが考えられる。具体的には、所定範囲の温度となる熱画像領域に属する各画素の座標情報を取得し、人の位置を構成するデータとして記憶領域に保持することが考えられる。
【００２７】
また、典型的な人の熱パターンを示すサンプルデータを保持しておき、当該データとの相関性（例えば、所定温度範囲の領域の長さや幅、面積等についてのサンプルとの差）に基づいて特定する処理を行うことも可能である。
【００２８】
また、人の位置としては、熱画像から人であると認識される領域の重心位置とすることも可能であるし、熱画像から人の足であると認識される領域の中心位置とすることも可能である。また、熱画像から体の部位（例えば、手や顔など）を選択的に認識し、該当部位の中心位置を取得する構成も可能である。
【００２９】
「警報出力条件格納部」は、警報の出力可否を判断するための注目エリアと人との位置関係を含む警報出力条件を格納する機能を有する。警報出力条件格納部の具体例としては、データを長期的に蓄積可能な記憶装置（ＲＯＭやハードディスク等）が主として考えられる。
【００３０】
ここで、警報出力条件としては、例えば、「人と注目エリアの最短距離が所定値以下であること」や、「注目エリアに対する人の方向が特定の方向であること」などが考えられる。
ここで、人と注目エリアの間隔は、実空間距離とすることも考えられるし、熱画像中における画素間距離（例えば、画素数）とすることも考えられる。
【００３１】
なお、警報の出力可否を判断するための警報出力条件としては、注目エリアと人との位置関係の条件と合わせて、設置空間内にて人が保持している識別情報（ＩＤ）が満たすべき条件（実施例６にて説明する）や、設置空間内に人が滞在する日程や時間帯、その長さに関する条件、設置空間内の人の人数、分布が満たすべき条件、人の体温が満たすべき条件などを用いることが考えられる。また、これらの条件を複数組み合わせて用いることも可能である。
【００３２】
例えば、人の体温が所定温度（例えば、３７．５℃）未満である場合は、注目領域（例えば、ストーブ）に対して第一基準値（例えば、５０ｃｍ）以内まで近づかないと警報出力しないが、体温が所定温度以上である場合は、注目領域に対して第二基準（例えば、１ｍ）以内まで近づくと警報出力するといった警報出力条件を用いる構成が考えられる。当該構成とすることにより、人の体温が温められ過ぎることを防止することができ、安全性を高めることが可能になる。なお、人の体温の情報も熱画像から取得することができるため、別に新たなハードウェア構成を設ける必要はない。
【００３３】
「警報出力判断部」は、設定された注目エリアと人の位置と警報出力条件に基づいて警報を出力するか判断する機能を有する。警報出力判断部の具体例としては、所定の処理演算を実行可能な処理演算装置と記憶装置と警報を出力するか判断する処理内容が記載されたプログラム等からなる構成が考えられる。
【００３４】
ここで、設定された注目エリアと人の位置と警報出力条件に基づいて警報を出力する方法としては、設定された注目エリアと人の位置から位置関係を示す値（距離値や方向角）を算出する処理を行い、当該算出結果が警報出力条件を満たすか判断する処理を行うことが考えられる。なお、警報出力条件が実空間位置情報に基づいて規定されている場合は、熱画像の縮尺、視線角等に基づいて画素空間位置情報を実空間位置情報に変換する処理を行う。当該熱画像の縮尺や視線角等は予め内部記憶装置に保持する構成も可能であるが、熱画像中の特徴的な目印（サイズや形状が分かっている物体等）に基づいて算出する構成も可能である。
【００３５】
注目エリアと人の位置が警報出力条件に該当すると判断される場合は、警報を出力するための制御命令を警報機器に対して送信する。なお、警報出力条件に応じて警報の種類を変更したり、制御命令を送信する警報機器を変更したりすることも可能である。また、設定により警報の態様を変更可能な構成とすることも考えられる。
【００３６】
<具体的な構成>
図３は、本実施例の警報システムの機能的な各構成要素をハードウェアとして実現した際の具体的な構成の一例を示す概略図である。
【００３７】
この図にあるように、警報システムは、「ＣＰＵ」０３０１と、「ＲＡＭ」０３０２と、「ＲＯＭ」０３０３と、「熱画像センサ」０３０４と、「センサインターフェイス」０３０５と、「通信機器」０３０６と、「通信インターフェイス」０３０７と、「警報機器」０３０８と、「警報インターフェイス」０３０９とから構成される。上記の構成は、「システムバス」０３１０のデータ通信経路によって相互に接続され、情報の送受信や処理を行う。
【００３８】
ＣＰＵは、ＲＯＭに格納されているプログラムにより各構成を制御する。ＲＡＭは、ＣＰＵが各構成を制御する際に必要なデータの書き込みや読出しが行われ、揮発性メモリ等で構成される（以下、同様である）。
【００３９】
ＣＰＵは、センサインターフェイスを介して熱画像カメラから設置空間内の温度分布を示す熱画像データを取得し、ＲＡＭに格納する。
【００４０】
次にＣＰＵは、ＲＯＭに格納されている人との位置関係で警報を出力するための注目エリアが満たすべき温度条件を示すデータをＲＡＭに読み出す処理を行う。
【００４１】
次にＣＰＵは、ＲＯＭからＲＡＭに読み出された注目エリア設定プログラムを実行し、ＲＡＭに格納された温度分布を示す熱画像データと温度条件を示すデータを利用して注目エリアを設定する処理を行う。具体的には、温度条件を満たす熱画像領域を検索する処理を行い、温度条件を満たす領域に属する各画素の座標情報を取得して注目エリアを構成するデータとしてＲＡＭに格納する処理を行う。
【００４２】
次にＣＰＵは、ＲＯＭからＲＡＭに読み出された人位置取得プログラムを実行し、ＲＡＭに格納された温度分布を示す熱画像データを利用して人の位置を取得する処理を行う。具体的には、人の体温程度の温度になっており、かつ、典型的な人の形状（幅、高さ、比率、大きさ等）を示す領域を検索する処理を行い、該当する領域に属する各画素の座標情報を人の位置を示すデータとしてＲＡＭに格納する処理を行う。
【００４３】
次にＣＰＵは、ＲＯＭに格納されている警報の出力可否を判断するための注目エリアと人との位置関係を含む警報出力条件を示すデータをＲＡＭに読み出す処理を行う。
【００４４】
次にＣＰＵは、ＲＯＭからＲＡＭに読み出された警報出力判断プログラムを実行し、ＲＡＭに格納された注目エリアを示すデータと人の位置を示すデータと警報出力条件を示すデータを利用して警報を出力するか判断する処理を行う。具体的には、注目エリアを示すデータと人の位置を示すデータから注目エリアと人との位置関係を示すデータを算出する処理を行い、当該算出結果が警報出力条件を満たすか判断する処理を行う。
【００４５】
次にＣＰＵは、ＲＯＭからＲＡＭに読み出された警報出力プログラムを実行し、警報出力判断プログラムの実行結果が警報出力条件を満たすとの判断結果である場合は、警報を出力するための制御命令を警報機器に対して送信する処理を行う。制御命令を受信した警報機器は、制御命令に応じた警報を出力する処理を行う。
【００４６】
<方法の発明>
本実施例の上記発明は、警報方法の発明として捉えることが可能である。図４は、本実施例の処理の流れの概要を示す図である。
【００４７】
まずステップＳ０４０１において、熱画像カメラによって設置空間内の温度分布を取得する（温度分布取得ステップ）。
【００４８】
次にステップＳ０４０２において、人との位置関係で警報を出力するための注目エリアが満たすべき温度条件と取得された温度分布から注目エリアを設定する（注目エリア設定ステップ）。
【００４９】
次にステップ０４０３において、注目エリア設定ステップにて一以上の注目エリアが設定されたか判断する（注目エリア存在判断ステップ）。ここでの判断が一以上の注目エリアが設定されたとの判断である場合は、ステップＳ０４０４に進む。ここでの判断が一以上の注目エリアが設定されていないとの判断である場合は、ステップＳ０４０８に進む。
【００５０】
次にステップＳ０４０４において、取得された温度分布から人の位置を取得する（人位置取得ステップ）。
【００５１】
次にステップＳ０４０５において、人位置取得ステップにて一以上の人の位置が取得されたか判断する（人存在判断ステップ）。ここでの判断が、一以上の人の位置が取得できたとの判断である場合は、ステップＳ０４０６に進む。ここでの判断が、一以上の人の位置が取得できなかったとの判断である場合は、ステップＳ０４０８に進む。
【００５２】
次にステップＳ０４０６において、警報の出力可否を判断するための注目エリアと人との位置関係を含む警報出力条件と設定された注目エリアと人の位置に基づいて警報を出力するか判断する（警報出力判断ステップ）。ここでの判断が警報を出力するとの判断である場合は、ステップＳ０４０７に進む。ここでの判断が警報を出力しないとの判断である場合は、ステップＳ０４０８に進む。
【００５３】
次にステップＳ０４０７において、警報を出力する（警報出力ステップ）。
【００５４】
次にステップＳ０４０８において、処理を終了するか判断する（処理終了判断ステップ）。ここでの判断が処理を終了するとの判断である場合は、処理を終了する。ここでの判断が処理を終了しないとの判断である場合は、ステップＳ０４０１に戻る。
【００５５】
<効果>
本実施例の発明により、特定の温度条件を満たす領域をダイナミックに設定して、人が近づいたことを検知して警報出力することが可能になる。
【実施例２】
【００５６】
<概要>
本実施例の警報システムは、熱画像カメラによって取得される設置空間内の温度分布から所定の温度以上となる（又は所定の温度以下となる）注目エリアを設定し、人が注目エリアに対して所定の範囲まで近づいた場合にその人に対して警報を出力する構成を有する。当該構成により、例えば、高温の物体などが上記設置空間内に入ってきた場合などにおいてもダイナミックに注目エリアを設定し、人が誤って近づきすぎないように適宜警報出力することが可能になる。
【００５７】
<構成>
図５は、本実施例の警報システムの構成を示す図である。この図にあるように、本実施例の「警報システム」０５００は、「温度分布取得部」０５０１と、「温度条件格納部」０５０２と、「注目エリア設定部」０５０３と、「人位置取得部」０５０４と、「警報出力条件格納部」０５０５と、「警報出力判断部」０５０６と、から構成され、温度条件格納部は「第一格納手段」０５０７を有する。以下、実施例１との相違点である第一格納手段について説明する。
【００５８】
「第一格納手段」は、温度条件として所定の温度以下であること又は所定の温度以上であることを格納する機能を有する。ここで、温度条件として所定の温度未満とすること又は所定の温度より大きくすることは上記条件と同等である。また、温度条件として所定の温度範囲ではないとすることも上記条件と同等である。
【００５９】
上記のような条件とすることにより、注目エリア設定部は、熱画像の任意の領域が所定の温度以下となっている場合又は所定の温度以上となっている場合に、当該領域を注目エリアとして設定する。
【００６０】
なお、注目エリア設定部は、所定の温度以上となる注目エリアを、その温度範囲に応じてさらに分類して設定する手段（分類設定手段）を有する構成とすることも可能である。例えば、図６に示すように、所定の温度以上で、かつ、第一温度未満の温度範囲である場合は、「第一レベル注目エリア」０６０１と設定し、第一温度以上で、かつ、第二温度未満の温度範囲である場合は、「第二レベル注目エリア」０６０２と設定し、第二温度以上の温度範囲である場合は、「第三レベル注目エリア」０６０２と設定することなどが考えられる。なお、温度条件として所定の温度以下であることとした場合も同様の構成が可能である。
【００６１】
また、第一格納手段に格納された温度条件の基準となる所定の温度を段階的に調整可能な手段（第一温度条件調整部）を設けることも可能である。例えば、設置空間内に第一の基準温度以上である領域を設定した後に（又は該当領域が見つからなかった場合に）、第一の基準温度よりも低い第二の基準温度を設定し、さらに第二の基準温度以上である領域を設定した後に（又は該当領域が見つからない場合に）、第二の基準温度よりも低い第三の基準温度を設定する、といったよう温度条件の基準となる所定の温度を段階的に調整することが考えられる。当該構成とすることにより、複数の温度条件を保持することなく段階的に注目すべきエリアを設定することが可能になる。
【００６２】
<具体的な構成>
本実施例の警報システムの具体的な構成は、図３で示した実施例１の警報システムの具体的な構成と同様である。ただし、所定の温度以下であること又は所定の温度以上であることを温度条件としてＲＯＭに保持している（第一温度条件情報）。以下、実施例１と相違点である温度条件に関連する処理について説明する。
【００６３】
ＣＰＵは、ＲＯＭに格納されている人との位置関係で警報を出力するための注目エリアが満たすべき温度条件（所定の温度以下であること又は所定の温度以上であること）を示すデータをＲＡＭに読み出す処理を行う。
【００６４】
次にＣＰＵは、ＲＯＭからＲＡＭに読み出された注目エリア設定プログラムを実行し、ＲＡＭに格納された温度分布を示す熱画像データと温度条件を示すデータを利用して注目エリアを設定する処理を行う。具体的には、所定の温度以上になる熱画像領域（又は所定の温度以下になる熱画像領域）を検索する処理を行い、所定の温度以上になる熱画像領域（又は所定の温度以下になる熱画像領域）に属する各画素の座標情報を取得して注目エリアを構成するデータとしてＲＡＭの所定のアドレスに格納する処理を行う。
【００６５】
<方法の発明>
本実施例の上記発明は、警報方法の発明として捉えることが可能である。なお、警報方法の処理の流れは図４で示した実施例１の処理の流れと同様である。ただし、注目エリア設定ステップにおいて、人との位置関係で警報を出力するための注目エリアが満たすべき温度条件として、所定の温度以下であること又は所定の温度以上であることを利用することを特徴とする。
<効果>
本実施例の発明により、特定の温度条件を満たす領域をダイナミックに設定して、人が近づいたことを検知して警報出力することが可能になる。
【実施例３】
【００６６】
<概要>
本実施例の警報システムは、熱画像カメラによって取得される設置空間内の温度分布から、温度の時間当たりの変化値が所定の値以上となる（又は所定の値以下となる）注目エリアを設定し、人が注目エリアに対して所定の範囲まで近づいた場合にその人に対して警報を出力する構成を有する。当該構成により、例えば、温度の時間当たりの変化値が大きく変化している領域をダイナミックに注目エリアとして設定し、人が誤って近づきすぎないように適宜警報出力することが可能になる。
【００６７】
<構成>
図７は、本実施例の警報システムの構成を示す図である。この図にあるように、本実施例の「警報システム」０７００は、「温度分布取得部」０７０１と、「温度条件格納部」０７０２と、「注目エリア設定部」０７０３と、「人位置取得部」０７０４と、「警報出力条件格納部」０７０５と、「警報出力判断部」０７０６と、から構成され、温度条件格納部は「第二格納手段」０７０７を有する。以下、実施例１との相違点である第二格納手段について説明する。
【００６８】
「第二格納手段」は、温度条件として温度の時間当たりの変化値が所定の値以上であること又は所定の値以下であることを格納する機能を有する。ここで、温度条件として温度の時間当たりの変化値が所定の値よりも大きいこと又は所定の値未満であることは、上記条件と同様である。また、温度条件として温度の時間当たりの変化値が所定の範囲ではないこととすることも上記条件と同等である。また、温度の時間当たりの変化値は、単位時間当たりの変化値とすることも可能であるし、所定の時間当たりの変化値とすることも可能である。
【００６９】
温度条件を上記のような条件とすることにより、注目エリア設定部は、熱画像の任意の領域の温度の時間あたりの変化が所定の値以上となっている場合又は所定の値以下となっている場合は、当該領域を注目エリアとして設定する。
【００７０】
なお、注目エリア設定部は、温度の時間当たりの変化値が所定の値以上となる注目エリアを、その変化の程度に応じてさらに分類して設定する手段（第二分類設定手段）を有する構成とすることも可能である。例えば、温度の単位時間当たりの変化値が所定の値以上で、かつ、第一変化値未満の変化である場合は、第一レベル注目エリアと設定し、第一変化値以上で、かつ、第二変化値未満の変化である場合は、第二レベル注目エリアと設定し、第二変化値以上の変化である場合は、第三レベル注目エリアと設定することなどが考えられる。なお、温度条件として温度の時間当たりの変化値が所定の値以下であることとした場合も同様の構成が可能である。
【００７１】
<具体的な構成>
本実施例の警報システムの具体的な構成は、図３で示した実施例１の警報システムの具体的な構成と同様である。ただし、温度の時間当たりの変化値が所定の値以上であること又は所定の値以下であることを温度条件として長期記憶装置に保持している（第二温度条件情報）。以下、実施例１と相違点である温度条件に関連する処理について説明する。
【００７２】
ＣＰＵは、ＲＯＭに格納されている人との位置関係で警報を出力するための注目エリアが満たすべき温度条件（温度の時間当たりの変化値が所定の値以上であること又は所定の値以下であること）を示すデータをＲＡＭに読み出す処理を行う。
【００７３】
次にＣＰＵは、ＲＯＭからＲＡＭに読み出された注目エリア設定プログラムを実行し、ＲＡＭに格納された温度分布を示す熱画像データと温度条件を示すデータを利用して注目エリアを設定する処理を行う。具体的には、温度の時間当たりの変化値が所定の値以上になる熱画像領域（又は温度の時間当たりの変化値が所定の値以下になる熱画像領域）を検索する処理を行い、温度の時間当たりの変化値が所定の値以上になる熱画像領域（又は温度の時間当たりの変化値が所定の値以下になる熱画像領域）に属する各画素の座標情報を取得して注目エリアを構成するデータとしてＲＡＭの所定のアドレスに格納する処理を行う。
【００７４】
<方法の発明>
本実施例の上記発明は、警報方法の発明として捉えることが可能である。なお、警報方法の処理の流れは図４で示した実施例１の処理の流れと同様である。ただし、注目エリア設定ステップにおいて、人との位置関係で警報を出力するための注目エリアが満たすべき温度条件として、温度の時間当たりの変化値が所定の値以上であること又は所定の値以下であることを特徴とする。
【００７５】
<効果>
本実施例の発明により、特定の温度条件を満たす領域をダイナミックに設定して、人が近づいたことを検知して警報出力することが可能になる。
【実施例４】
【００７６】
<概要>
本実施例の警報システムは、熱画像カメラによって取得される設置空間内の温度分布から、温度の変化値が所定の値以上となる（又は所定の値以下となる）注目エリアを設定し、人が注目エリアに対して所定の範囲まで近づいた場合にその人に対して警報を出力する構成を有する。当該構成により、例えば、温度の変化値が大きく変化している領域についてダイナミックに注目エリアとして設定し、人が誤って近づきすぎないように適宜警報出力することが可能になる。
【００７７】
<構成>
図８は、本実施例の警報システムの構成を示す図である。この図にあるように、本実施例の「警報システム」０８００は、「温度分布取得部」０８０１と、「温度条件格納部」０８０２と、「注目エリア設定部」０８０３と、「人位置取得部」０８０４と、「警報出力条件格納部」０８０５と、「警報出力判断部」０８０６と、から構成され、温度条件格納部は「第三格納手段」０８０７を有する。以下、実施例１との相違点である第三格納手段について説明する。
【００７８】
「第三格納手段」は、温度条件として温度の変化値が所定の値以上であること又は所定の値以下であることを格納する機能を有する。ここで、温度条件として温度の変化値が所定の値よりも大きいこと又は所定の値未満であることは、上記条件と同様である。また、温度条件として温度の変化値が所定の範囲ではないこととすることも上記条件と同等である。
【００７９】
温度条件を上記のような条件とすることにより、注目エリア設定部は、熱画像の任意の領域の温度の変化値が所定の値以上となっている場合又は所定の値以下となっている場合に、当該領域を注目エリアとして設定する。実施例２で説明した第二格納手段に格納される温度条件との違いは、時間の長さに関係なく、温度の変化値が所定の値以上となったこと又は所定の値以下となったことを条件としている点である。つまり、比較的長い時間を経て異常温度状態に移行する物体等を検知することが可能になる。
【００８０】
なお、注目エリア設定部は、温度の変化値が所定の値以上となる注目エリアを、その変化値の程度に応じてさらに分類して設定する手段（第三分類設定手段）を有する構成とすることも可能である。例えば、温度の変化値が所定の値以上で、かつ、第一変化値未満の変化である場合は、第一レベル注目エリアと設定し、第一変化値以上で、かつ、第二変化値未満の変化である場合は、第二レベル注目エリアと設定し、第二変化値以上の変化である場合は、第三レベル注目エリアと設定することなどが考えられる。なお、温度条件として温度の変化値が所定の値以下であることとした場合も同様の構成が可能である。
【００８１】
<具体的な構成>
本実施例の警報システムの具体的な構成は、図３で示した実施例１の警報システムの具体的な構成と同様である。ただし、温度の変化値が所定の値以上であること又は所定の値以下であることを温度条件として長期記憶装置に保持している（第三温度条件情報）。以下、実施例１と相違点である温度条件に関連する処理について説明する。
【００８２】
ＣＰＵは、ＲＯＭに格納されている人との位置関係で警報を出力するための注目エリアが満たすべき温度条件（温度の変化値が所定の値以上であること又は所定の値以下であること）を示すデータをＲＡＭに読み出す処理を行う。
【００８３】
次にＣＰＵは、ＲＯＭからＲＡＭに読み出された注目エリア設定プログラムを実行し、ＲＡＭに格納された温度分布を示す熱画像データと温度条件を示すデータを利用して注目エリアを設定する処理を行う。具体的には、温度の変化値が所定の値以上になる熱画像領域（又は温度の変化値が所定の値以下になる熱画像領域）を検索する処理を行い、温度の変化値が所定の値以上になる熱画像領域（又は温度の変化値が所定の値以下になる熱画像領域）に属する各画素の座標情報を取得して注目エリアを構成するデータとしてＲＡＭの所定のアドレスに格納する処理を行う。
【００８４】
<方法の発明>
本実施例の上記発明は、警報方法の発明として捉えることが可能である。なお、警報方法の処理の流れは図４で示した実施例１の処理の流れと同様である。ただし、注目エリア設定ステップにおいて、人との位置関係で警報を出力するための注目エリアが満たすべき温度条件として、温度の変化値が所定の値以上であること又は所定の値以下であることを特徴とする。
【００８５】
<効果>
本実施例の発明により、特定の温度条件を満たす領域をダイナミックに設定して、人が近づいたことを検知して警報出力することが可能になる。
【実施例５】
【００８６】
<概要>
本実施例の警報システムは、熱画像カメラによって取得される設置空間内の温度分布から、所定の条件を満たす温度領域の大きさが所定の値以上となる（又は所定の値以下となる）注目エリアを設定し、人が注目エリアに対して所定の範囲まで近づいた場合にその人に対して警報を出力する構成を有する。当該構成により、例えば、高温の領域が広がってきた場合においてダイナミックに注目エリアを設定して、人が誤って近づきすぎないように適宜警報出力することが可能になる。
【００８７】
<構成>
図９は、本実施例の警報システムの構成を示す図である。この図にあるように、本実施例の「警報システム」０９００は、「温度分布取得部」０９０１と、「温度条件格納部」０９０２と、「注目エリア設定部」０９０３と、「人位置取得部」０９０４と、「警報出力条件格納部」０９０５と、「警報出力判断部」０９０６と、から構成され、温度条件格納部は「第四格納手段」０９０７を有する。以下、実施例１との相違点である第四格納手段について説明する。
【００８８】
「第四格納手段」は、温度条件として所定の条件を満たす温度領域の大きさが所定の値以上であること又は所定の値以下であることを格納する機能を有する。ここで、温度条件として所定の条件を満たす温度領域の大きさが所定の値よりも大きいこと又は所定の値未満であることは上記条件と同等である。また、温度条件として所定の条件を満たす温度領域の大きさが所定の範囲の値ではないことも上記条件と同等である。
【００８９】
温度条件を上記のような条件とすることにより、注目エリア設定部は、熱画像の任意の領域において所定の条件を満たす温度領域の大きさが所定の値以上となっている場合又は所定の値以下となっている場合に、当該任意の領域を注目エリアとして設定する。
【００９０】
ここで、所定の条件としては、実施例２から４で述べた温度条件のように、所定の温度以下であること又は所定の温度以上であること、温度の時間当たりの変化値が所定の値以上であること又は所定の値以下であること、温度の変化値が所定の値以上であること又は所定の値以下であること、とすることが考えられる。
【００９１】
また、その他に、所定の条件として、温度分布の一様性が所定レベル以上であること又は所定レベル以下であること、温度分布の等方性が所定レベル以上であること又は所定レベル以下であること、特定方向（又は任意方向）の温度勾配が一定値以上であること又は一定値以下であること、とすることも考えられる。
【００９２】
温度領域の大きさは、熱画像中の画素数と熱画像の縮尺等に基づいて取得することが可能である。また、熱画像の縮尺が固定されている場合は、単に画素数のみに基づいて温度領域の大きさを判断することも可能である。具体的には、任意の領域において所定の条件を満たす画素の数を取得し、総画素数が所定の数以上である場合は、上記任意の領域に属する各画素の座標情報を注目エリアを構成するデータとして記憶領域に保持することが考えられる。
【００９３】
<具体的な構成>
本実施例の警報システムの具体的な構成は、図３で示した実施例１の警報システムの具体的な構成と同様である。ただし、所定の条件を満たす温度領域の大きさが所定の値以上であること又は所定の値以下であることを温度条件として長期記憶装置に保持している（第四温度条件情報）。実施例１と相違点である温度条件に関連する処理について説明する。
【００９４】
ＣＰＵは、ＲＯＭに格納されている人との位置関係で警報を出力するための注目エリアが満たすべき温度条件（所定の条件を満たす温度領域の大きさが所定の値以上であること又は所定の値以下であること）を示すデータをＲＡＭに読み出す処理を行う。
【００９５】
次にＣＰＵは、ＲＯＭからＲＡＭに読み出された注目エリア設定プログラムを実行し、ＲＡＭに格納された温度分布を示す熱画像データと温度条件を示すデータを利用して注目エリアを設定する処理を行う。具体的には、所定の条件（例えば、所定の温度以上であること）を満たす温度領域の大きさが所定の値以上になる熱画像領域（又は所定の条件を満たす温度領域の大きさが所定の値以下になる熱画像領域）を検索する処理を行い、所定の条件を満たす温度領域の大きさが所定の値以上になる熱画像領域（又は所定の条件を満たす温度領域の大きさが所定の値以下になる熱画像領域）に属する各画素の座標情報を取得して注目エリアを構成するデータとしてＲＡＭの所定のアドレスに格納する処理を行う。
【００９６】
<方法の発明>
本実施例の上記発明は、警報方法の発明として捉えることが可能である。なお、警報方法の処理の流れは図４で示した実施例１の処理の流れと同様である。ただし、注目エリア設定ステップにおいて、所定の条件を満たす温度領域の大きさが所定の値以上であること又は所定の値以下であることを特徴とする。
【００９７】
<効果>
本実施例の発明により、特定の温度条件を満たす領域をダイナミックに設定して、人が近づいたことを検知して警報出力することが可能になる。
【実施例６】
【００９８】
<概要>
図１０は、本実施例の警報システムの概要を示す図である。この図にあるように、本実施例の「警報システム」１０００は、「熱画像カメラ」１００１によって取得される設置空間内の温度分布から、所定の条件を満たす温度領域の大きさが所定の値以上となる（又は所定の値以下となる）「注目エリア」１００２を設定し、識別条件を満たす識別情報（ＩＤ）を有する人が注目エリアに対して「所定の範囲」１００３まで近づいた場合にその人に対して警報を出力する構成を有する。当該構成により、例えば、高温の物体などが上記設置空間内に入ってきた場合などにおいてダイナミックに注目エリアを設定し、管理者などではない人が誤って近づきすぎないように適宜警報出力することが可能になる。
【００９９】
<構成>
図１１は、本実施例の警報システムの構成を示す図である。この図にあるように、本実施例の「警報システム」１１００は、「温度分布取得部」１１０１と、「温度条件格納部」１１０２と、「注目エリア設定部」１１０３と、「人位置取得部」１１０４と、「警報出力条件格納部」１１０５と、「警報出力判断部」１１０６と、「紐付部」１１０７と、「同一性認識部」１１０８と、「識別条件格納部」１１０９と、から構成され、「警報出力判断部」は、「人別警報出力判断手段」１１１０を有する。以下、実施例１との相違点である、「紐付部」と、「同一性認識部」と、「識別条件格納部」と、「人別警報出力判断手段」について説明する。
【０１００】
「紐付部」は、設置空間内にて人が保持している識別情報とその人の熱パターンとを紐付けて取得する機能を有する。紐付部の具体例としては、所定の処理演算を実行可能な処理演算装置と記憶装置と上記紐付けをする処理内容が記載されたプログラム等からなる構成が考えられる。
【０１０１】
ここで、設置空間内にて人が保持している識別情報は、例えば設置空間の入口付近のＩＣタグリーダにて読み取られるＩＣタグ（ＩＣカードや携帯電話等に格納されているものも含む）の情報や、入口付近の操作入力機器にて受付けるＩＤ情報、マイクからの音声入力に基づく人の特定情報や、指紋センサや静脈センサ、網膜センサに基づく人の特定情報なども含まれるものである。つまり、人が保持している識別情報とは、人が保持している物の識別情報の他に、人自身が生体情報として保持している識別情報も含まれる。
【０１０２】
また、人の熱パターンとは、熱画像においてその人が示す熱分布をいうものである。設置空間内にて人が保持している識別情報とその人の熱パターンとを紐付けて取得する方法としては、例えば人が保持している識別情報の取得が特定場所（入口付近等）にて行われる場合は、当該特定場所の熱画像を取得し、熱画像に写り込んだ人の熱パターンと識別情報を関連付けて記憶装置に保持することが考えられる。
【０１０３】
「同一性認識部」は、人位置取得部にて連続的に位置が取得される人の熱パターンから立止り又は移動する人の同一性を認識する機能を有する。同一性認識部の具体例としては、所定の処理演算を実行可能な処理演算装置と記憶装置と上記同一性を認識するための処理内容が記載されたプログラム等からなる構成が考えられる。
【０１０４】
連続的に位置が取得される人の熱パターンから立ち止まり又は移動する人の同一性を認識する方法としては、連続する複数のフレームにおいて連続的な画素座標の位置に相関の高い熱分布が検出されるか否か判定することが考えられる。
【０１０５】
ここで、識別情報との紐付けが行われている過去のフレームにおける人（過去の同一人物）との同一性が認識された場合、現時点でのフレームにおける人に対しても識別情報を紐付けることが可能になる。このように紐付け処理を人位置取得部及び同一性認識部の処理と合わせて連続的に行うことにより、人位置取得部によりその時点での位置が取得される人の識別情報を取得することが可能になる。
【０１０６】
「識別条件格納部」は、警報を出力し又は出力しないなどのために識別情報が満たすべき条件である識別条件を格納する機能を有する。識別条件格納部の具体例としては、データを長期的に蓄積可能な記憶装置（ＲＯＭやハードディスク等）が主として考えられる。
【０１０７】
ここで、識別条件としては、警報を出力する又は出力しない対象の識別情報のリストを保持しておき、当該リストに識別情報のデータが存在する又は存在しないことを条件とすることが考えられる。例えば、特定の関係者（管理者等）については警報を出力する対象から外し、それ以外の対象については警報を出力する、といった構成が可能である。
【０１０８】
また、識別条件の他の例としては、設置空間内に入った回数が所定回数以内であること又は所定回数以上であることや、設置空間内に入った時点から所定時間以上経過していること又は所定時間以上経過していないこと、なども考えられる。
【０１０９】
「人別警報出力判断手段」は、人位置取得部によりその時点での位置が取得される人の熱パターンに対して紐付けられた識別情報又は人位置取得部によりその時点での位置が取得される人との同一性が認識される人の熱パターンに対して紐付けられた識別情報と識別条件にも基づいて警報を出力するか判断する機能を有する。
【０１１０】
つまり、警報出力判断部は、設定された注目エリアと人の位置と、警報出力条件と、設置空間内にて人が保持している識別情報と、識別情報が満たすべき条件である識別条件に基づいて警報を出力するか判断する機能を有する。
【０１１１】
判断に用いる識別情報は、人位置取得部によりその時点での位置が取得される人の熱パターンに対して紐付部により既に識別情報との紐付け処理が行われている場合は、その識別情報を取得する。また、人位置取得部によりその時点での位置が取得される人の熱パターンに対してまだ識別情報との紐付け処理が行われていない場合は、同一性認識部により同一性が認識され、かつ識別情報との紐付け処理が既に行われた人（過去の熱画像フレームにおける同一人物）の熱パターンに紐付けられた識別情報を取得する。
【０１１２】
上記識別情報と識別条件にも基づいて警報を出力する方法としては、識別情報と識別条件に基づいて設置空間内の人が警報出力の対象となる人物であるか否かを判断し、警報出力の対象となる人物であると判断される場合は警報出力の対象であることを示すフラッグを立て、警報出力の対象となる人物ではないと判断される場合は警報出力の対象であることを示すフラッグを立てない、といった処理を行うことが考えられる。当該フラッグの情報は、同一性認識部の処理により以後のフレームにおける同一人物に対する情報として引き継ぐことが可能である。
【０１１３】
<具体的な構成>
本実施例の警報システムの具体的な構成は、図３で示した実施例１の警報システムの具体的な構成と同様である。以下、実施例１と相違点である紐付処理、同一性認識処理、警報出力判断処理について説明する。
【０１１４】
ＣＰＵは、ＲＯＭからＲＡＭに読み出された紐付プログラムを実行し、通信インターフェイスを介して識別情報取得装置（ＩＣタグリーダ等）から設置空間内にて人が保持している識別情報を示すデータを取得し、ＲＡＭに格納する。さらに、識別情報を取得した時点における人の熱パターンを含む熱画像のデータをセンサインターフェイスを介して熱画像カメラから取得し、識別情報のデータと関連付けてＲＡＭに格納する。
【０１１５】
さらに、ＣＰＵは、ＲＯＭからＲＡＭに読み出された同一性認識プログラムを実行し、人位置取得プログラムにて連続的に位置が取得される人の熱パターンから立止り又は移動する人の同一性を認識する処理を行う。具体的には、連続するフレームにおいて連続的な画素位置に相関の高い人の熱パターンが検出されるか否か判定し（例えば、温度の大きさや分布の幅の値が近いか否か判定する）、相関性が高い人の熱パターンが連続する熱画像のフレームにおいて検出された場合は当該相関性の高い人の熱パターンについて同一識別子を付与する処理を行う。
【０１１６】
次にＣＰＵは、ＲＯＭに格納されている警報を出力し又は出力しないなどのために識別情報が満たすべき条件である識別条件を示すデータをＲＡＭに読み出す処理を行う。
【０１１７】
次にＣＰＵは、ＲＯＭからＲＡＭに読み出された警報出力判断プログラムの人別警報出力判断ルーチンを実行し、人位置取得プログラムによりその時点での位置が取得される人の熱パターンに対して紐付けられた識別情報のデータを取得する処理を行う。ここで、識別情報のデータが取得できない場合は、その時点での位置が取得される人との同一性が認識される人の熱パターンに対して紐付けられた識別情報のデータを取得する処理を行う。さらに、ＣＰＵは、識別情報のデータと識別条件のデータに基づいて設置空間内の人が警報出力の対象となる人物であるか否かを判断する処理を行い、警報出力の対象となる人物であると判断される場合は警報出力の対象であることを示すフラッグを立てる処理を行う。以後の処理は、実施例１で説明した警報出力判断プログラムの処理と同様である。
【０１１８】
<方法の発明>
本実施例の上記発明は、警報方法の発明として捉えることが可能である。図１２は、本実施例の処理の流れの概要を示す図である。
【０１１９】
まずステップＳ１２０１において、熱画像カメラによって設置空間内の温度分布を取得する（温度分布取得ステップ）。
【０１２０】
次にステップＳ１２０２において、人との位置関係で警報を出力するための注目エリアが満たすべき温度条件と取得された温度分布から注目エリアを設定する（注目エリア設定ステップ）。
【０１２１】
次にステップ１２０３において、注目エリア設定ステップにて一以上の注目エリアが設定されたか判断する（注目エリア存在判断ステップ）。ここでの判断が一以上の注目エリアが設定されたとの判断である場合は、ステップＳ１２０４に進む。ここでの判断が一以上の注目エリアが設定されていないとの判断である場合は、ステップＳ１２１１に進む。
【０１２２】
次にステップＳ１２０４において、取得された温度分布から人の位置を取得する（人位置取得ステップ）。
【０１２３】
次にステップＳ１２０５において、人位置取得ステップにて一以上の人の位置が取得されたか判断する（人存在判断ステップ）。ここでの判断が、一以上の人の位置が取得できたとの判断である場合は、ステップＳ１２０６に進む。ここでの判断が、一以上の人の位置が取得できなかったとの判断である場合は、ステップＳ１２１１に進む。
【０１２４】
次にステップＳ１２０６において、人位置取得ステップにて連続的に位置が取得される人の熱パターンから立止り又は移動する人の同一性を認識する（同一性認識ステップ）。
【０１２５】
次にステップＳ１２０７において、人位置取得ステップによりその時点での位置が取得される人の熱パターンに対して紐付けられた識別情報又は人位置取得ステップによりその時点での位置が取得される人との同一性が同一性認識ステップにて認識される人の熱パターンに対して紐付けられた識別情報を取得する（識別情報取得ステップ）。なお、この図では記載していないが、設置空間内にてその人が保持している識別情報とその人の熱パターンとを同期的に取得可能なタイミングにおいて、その人の識別情報と熱パターンとを紐付けて取得する（紐付ステップ）。
【０１２６】
次にステップＳ１２０８において、識別情報取得ステップにて取得した識別情報と識別条件に基づいて識別情報を取得した人が警報を出力する対象であるか否か判断する（人別警報出力判断ステップ）。ここでの判断が、警報を出力する対象であるとの判断である場合はステップＳ１２０９に進む。ここでの判断が、警報を出力する対象ではないとの判断である場合はステップＳ１２１１に進む。
【０１２７】
次にステップＳ１２０９において、警報の出力可否を判断するための注目エリアと人との位置関係を含む警報出力条件と設定された注目エリアと人の位置に基づいて警報を出力するか判断する（警報出力判断ステップ）。ここでの判断が警報を出力するとの判断である場合は、ステップＳ１２１０に進む。ここでの判断が警報を出力しないとの判断である場合は、ステップＳ１２１１に進む。
【０１２８】
次にステップＳ１２１０において、警報を出力する（警報出力ステップ）。
【０１２９】
次にステップＳ１２１１において、処理を終了するか判断する（処理終了判断ステップ）。ここでの判断が処理を終了するとの判断である場合は、処理を終了する。ここでの判断が処理を終了しないとの判断である場合は、ステップＳ１２０１に戻る。
【０１３０】
<効果>
本実施例の発明により、特定の温度条件を満たす領域をダイナミックに設定して、管理者以外の人等が近づいたことを検知して警報出力することが可能になる。
【符号の説明】
【０１３１】
０２００…警報システム、０２０１…温度分布取得部、０２０２…温度条件格納部、０２０３…注目エリア設定部、０２０４…人位置取得部、０２０５…警報出力条件格納部、０２０６…警報出力判断部、０３０１…ＣＰＵ、０３０２…ＲＡＭ、０３０３…ＲＯＭ、０３０４…センサインターフェイス、０３０５…熱画像センサ、０３０６…通信機器、０３０７…通信インターフェイス、０３０８…警報機器、０３０９…警報インターフェイス、０５０７…第一格納手段、０７０７…第二格納手段、０８０７…第三格納手段、０９０７…第四格納手段、１１０７…紐付部、１１０８…同一性認識部、１１０９…識別条件格納部、１１１０…人別警報出力判断手段
【図１】
0005668261.tif 000002
【図２】
0005668261.tif 000003
【図３】
0005668261.tif 000004
【図４】
0005668261.tif 000005
【図５】
0005668261.tif 000006
【図６】
0005668261.tif 000007
【図７】
0005668261.tif 000008
【図８】
0005668261.tif 000009
【図９】
0005668261.tif 000010
【図１０】
0005668261.tif 000011
【図１１】
0005668261.tif 000012
【図１２】
0005668261.tif 000013